【事件の表示】
　特許第２８３８０６７号「ロッドレスシリンダ及びそのスライダテーブル」の請求項１、２、３、７、８に係る特許に対する特許異議の申立てについて、次のとおり決定する。
【結　論】
　訂正を認める。
　特許第２８３８０６７号の請求項１、２、６、７に係る特許を維持する。
【理　由】
（１）手続の経緯
　本件特許第２８３８０６７号に係る特許出願は、平成８年２月２８日に出願されたものであって、平成１０年１０月９日に設定登録がされた後、平成１１年６月１６日付けで特許異議申立人・豊和工業株式会社より、その請求項１、２、３、７、８に係る特許に対して特許異議申立がなされたものである。
　そして、平成１１年８月１７日付けで取消理由が通知され、平成１１年１１月２日付けで訂正請求がされ、この訂正請求に対して平成１１年１１月１９日付けで訂正拒絶理由通知を兼ねる取消理由通知がなされ、これに対して特許権者は、平成１２年２月７日付けで上記平成１１年１１月２日付けの訂正請求を取り下げるとともに同日付けで新たな訂正請求をしたものである。
　これに対して、平成１２年６月５日付けで訂正拒絶理由が通知され、特許権者はこれについて平成１２年８月９日付けで意見書を提出したものである。
　
（２）訂正の適否についての判断
イ、訂正発明
　本件特許に係る平成１２年２月７日付けの訂正請求は、願書に添付した明細書（以下、「特許明細書」という。）の特許請求の範囲に記載された請求項１ないし８について、請求項２を削除するとともに請求項３ないし８について項数を順次繰り上げて請求項２ないし７とすると共に、その請求項１〜７について特許請求の範囲の減縮或いは明りょうでない記載の釈明を目的として次のとおりに訂正するとともに、これに伴って必要となった特許請求の範囲の欄の記載と発明の詳細な説明の欄の記載の整合をとるため、明りょうでない記載の釈明を目的として、特許明細書の発明の詳細な説明の欄の記載について必要な個所を訂正するものである。
　
【請求項１】シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　
断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆い、
断面略コ字状の
その防塵カバーを
【請求項
２
１
【請求項３】
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
【請求項
４
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
【請求項
５
４
【請求項
６
断面略コ字状に形成され、その両側縁が前記シリンダチューブのスリット形成面よりも下方に配置されるとともにシリンダチューブの側面と相対向するように設けられて少なくとも前記
断面略コ字状の
【請求項
７
　
断面略コ字状の防塵カバーを、その両側縁が前記シリンダチューブのスリット形成面よりも下方に配置されるとともにシリンダチューブの側面と相対向するように同シリンダチューブに設置して、その防塵カバーによって少なくとも前記スリット形成面を覆い、
断面略コ字状の
　
ロ、訂正の目的の適否、新規事項の有無及び拡張・変更の存否
【請求項１】について
　「断面略コ字状の防塵カバー」は、特許明細書の請求項２に記載されていた事項である。
　また、該防塵カバーを、「その両側縁が前記シリンダチューブのスリット形成面よりも下方に配置されるとともにシリンダチューブの側面と相対向するように設け」た点は、防塵という課題に関する明細書及び図面の記載からみて、断面略コ字状の防塵カバーの両端縁は図で見て下方に垂下するように設けられることは明らかであり、垂下する以上、両側縁が前記シリンダチューブのスリット形成面よりも下方に配置されるとともにシリンダチューブの側面と相対向するように設けるようになされることは、特に図３（ｂ）の記載に照らして明らかであるから、上記防塵カバーに関する事項は特許明細書に記載されていたものと認められる。
　さらに、断面略コ字状のカバー挿通孔についても、断面略コ字状の防塵カバーを挿通させるものであることが明らかであるから、カバー挿通孔に関する事項は特許明細書に記載されていたものと認められる。
　そして、これらの訂正は、防塵カバー、カバー挿通孔の形状を限定するものであるから、特許請求の範囲の減縮を目的とするものであって、実質上特許請求の範囲を拡張・変更するものではない。
【請求項２】について
　訂正後の請求項２に係る訂正は、特許明細書の請求項３が特許明細書の請求項１、２を引用していたものを、訂正後の請求項２は訂正後の請求項１のみを引用するものとしたものである。
　ここで、引用している請求項１に係る訂正は、上記のとおり、特許請求の範囲の減縮を目的とするものであって、実質上特許請求の範囲を拡張・変更するものではないから、それを引用する訂正後の請求項２に係る訂正は、特許請求の範囲の減縮を目的とするものであって、実質上特許請求の範囲を拡張・変更するものではない。
　また、特許明細書の請求項２は削除されたから、引用することはできないものであり、その引用をなくした点で、訂正後の請求項２に係る訂正は、明りょうでない記載の釈明を目的とするものである。
　したがって、請求項２に係る訂正は、特許請求の範囲の減縮及び明りょうでない記載の釈明を目的とするものであって、特許明細書に記載されていた事項の範囲内のものであり、実質上特許請求の範囲を拡張・変更するものではない。
【請求項３】について
　訂正後の請求項３に係る訂正は、特許明細書の請求項４が特許明細書の請求項１乃至３を引用していたものを、訂正後の請求項３は、特許明細書の請求項２、３の引用をはずすとともに、特許明細書の請求項１、４に記載されていた事項に基づき、独立請求項に書き改めたものである。
　したがって、削除された特許明細書の請求項２の引用をなくした点で、訂正後の請求項３に係る訂正は、明りょうでない記載の釈明を目的とするものであり、特許明細書の請求項１、４に記載されていた事項に基づいている点で、特許明細書に記載されていた事項の範囲内のものであり、実質上特許請求の範囲を拡張・変更するものではない。
　よって、請求項３に係る訂正は、明りょうでない記載の釈明を目的とするものであって、特許明細書に記載されていた事項の範囲内のものであり、実質上特許請求の範囲を拡張・変更するものではない。
【請求項４】について
　訂正後の請求項４に係る訂正は、特許明細書の請求項５が特許明細書の請求項１乃至４を引用していたものを、特許明細書の請求項２、３、４の引用をはずし、特許明細書の請求項１、５に記載されていた事項に基づき、引用形式で記載されていたものを独立請求項に書き改めたものである。
　したがって、訂正後の請求項４に係る訂正は、削除された特許明細書の請求項２の引用をなくした点で、明りょうでない記載の釈明を目的とするものであり、特許明細書の請求項１、５に記載されていた事項に基づいている点で、特許明細書に記載されていた事項の範囲内のものであり、実質上特許請求の範囲を拡張・変更するものではない。
　よって、請求項４に係る訂正は、明りょうでない記載の釈明を目的とするものであって、特許明細書に記載されていた事項の範囲内のものであり、実質上特許請求の範囲を拡張・変更するものではない。
【請求項５】について
　訂正後の請求項５に係る訂正は、特許明細書の請求項６が特許明細書の請求項５を引用しており、当該請求項５は特許明細書の請求項１乃至４を引用していたから、結局特許明細書の請求項１乃至５を全て引用していたものであるところ、引用する項を訂正後の請求項４のみとするものである。
　したがって、引用しないこととなった特許明細書の請求項１乃至４の引用をはずし、上記のとおり独立請求項となった訂正後の請求項４のみを引用するものとしたものであるから、削除された特許明細書の請求項２の引用をなくした点で、訂正後の請求項５に係る訂正は、明りょうでない記載の釈明を目的とするものであると認められる。
　さらに、引用している請求項４に係る訂正は、上記のとおり、明りょうでない記載の釈明を目的とするものであって、特許明細書に記載されていた事項の範囲内のものであり、実質上特許請求の範囲を拡張・変更するものではないから、それを引用する請求項５に係る訂正もまた明りょうでない記載の釈明を目的とするものであって、特許明細書に記載されていた事項の範囲内のものであり、実質上特許請求の範囲を拡張・変更するものではない。
【請求項６】について、
　訂正後の請求項６に関する訂正は、特許明細書の請求項７における防塵カバーとカバー挿通孔について、上記請求項１と同様に、それらの形状を限定するものであるから、この訂正は、特許請求の範囲の減縮を目的とするものであって、特許明細書に記載されていた事項の範囲内のものであり、かつ、実質上特許請求の範囲を拡張・変更するものではない。
【請求項７】について
　訂正後の請求項７に関する訂正は、特許明細書の請求項８における防塵カバーとカバー挿通孔について、上記請求項１と同様に、それらの形状を限定するものであるから、この訂正は、特許請求の範囲の減縮を目的とするものであって、特許明細書に記載されていた事項の範囲内のものであり、かつ、実質上特許請求の範囲を拡張・変更するものではない。
【発明の詳細な説明の欄】について
　請求項以外の、発明の詳細な説明の欄についての訂正は、すべて、上記各請求項に係る訂正により生じた、各請求項の記載と発明の詳細な説明の欄の記載との不整合を正すためのものであって、特許明細書に記載されていた事項の範囲内のものであり、かつ、これらの訂正は、明りょうでない記載の釈明に該当し、実質上特許請求の範囲を拡張・変更するものではない。
　
　以上のとおりであるから、本件訂正請求は、特許請求の範囲の減縮、及び、明りょうでない記載の釈明を目的とするものであって、特許明細書に記載した事項の範囲内においてしたものであり、かつ、実質上特許請求の範囲を拡張し、変更するものでもない。
　
ハ、独立特許要件について
（Ａ）引用発明
　平成１２年６月５日付け訂正拒絶理由通知で引用した、本件出願の日前に頒布された刊行物である甲第１、２、５号証には、それぞれ次の発明が記載されている。
甲第１号証（特開平１−２４７８１２号公報）；
「シリンダバレル２と、そのシリンダバレル２内に移動可能に収容されたピストン４と、シリンダバレル２の長手方向に沿って延びかつ同シリンダバレル２の内外を連通するスリット３と、前記シリンダバレル２外に配設されるとともに前記スリット３を介して前記ピストン４に連結されたスライダ３０とを備えたロッドレスシリンダ１において、
　前記シリンダバレル２の少なくともスリット３の形成面を覆うカバー３４を、前記スライダ３０の上方に設け、同カバー３４に沿って前記スライダテーブル３０を往復動させるように構成したロッドレスシリンダ。」（第４，５図とそれに関する記載参照）
甲第２号証（特開平７−２３７１７３号公報）；
　駆動手段１７として、ピストン式ロッドレスシリンダを用いるスライドテーブル駆動装置（【００１９】欄参照。）において、連結部材１３にスライドテーブル１６を固定している点。（図２参照）
甲第５号証（特開昭５８−１９６９８５号公報）；
　駆動手段としてモータとボールネジを用いた工業用ロボットであるが、スライダテーブルに相当する載置ブラケット２０を往復動する点で請求項１に係る発明ときわめて近い技術分野に属すると認められる載置ブラケット２０において、当該載置ブラケット２０内に断面形状が略コ字状の挿通孔（第４図参照。）を設け、該挿通孔内に略コ字状のカバー２１を非接触で挿通させる点。
　
　また、特許異議申立人が提示した甲第３、４、６号証には、それぞれ次の発明が記載されている。
甲第３号証（「パワーデザイン」、Ｖｏｌ．２７、Ｎｏ１、１９８９年１月１日、日刊工業新聞社発行、第２６〜２９頁）；
　第２９頁の写真６には、防塵カバーで覆われたＬＭガイド付ロッドレスシリンダと称するものが記載されている。
　しかしながら、当該ロッドレスシリンダには、防塵カバーが設けられていることは認められるものの、この防塵カバーがどのような形状・構造かはその詳細が不明であると認めざるを得ない。
甲第４号証（特開昭５８−１９６９８６号公報）；
　第４図及びその説明の記載からみて、送りネジとナットからなるロボットの送り機構において、平板状のカバー２１とカバー３２により全体としてＬ字状とした防塵カバーが記載されている。
　なお、カバー２１は、載置ブラケット２０と移動ブロック１７（二つをあわせて、本願発明のスライダテーブルに相当する。）より構成されるカバー挿通孔に挿通されている。
甲第６号証（意匠登録第９３２３０５号公報）；
　断面形状が全体的に見ると平板状で、その幅方向両端がやや下方に屈曲させられたカバーを有する、ロッドレスシリンダで駆動されるスライダが記載されている。
　
（Ｂ）訂正発明と甲各号証記載の発明の対比・判断
［請求項１に係る発明について］
　請求項１に係る発明と甲第１号証記載の発明とを対比すると、甲第１号証記載の発明における「シリンダバレル２」は請求項１に係る発明における「シリンダチューブ」に相当し、以下、同様に、「ピストン４」は「ピストン」に、「スリット３」は「スリット」に、「スライダ３０」は「スライダテーブル」に、「ロッドレスシリンダ１」は「ロッドレスシリンダ」に、「カバー３４」は「防塵カバー」に、それぞれ相当するから、両者は、
「シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　防塵カバーによって少なくとも前記スリット形成面を覆い、同防塵カバーに沿って前記スライダテーブルを往復動させるように構成したロッドレスシリンダ。」
である点で一致し、次のａ，ｂの点で相違する。
　相違点ａ；請求項１に係る発明の防塵カバーは、
「断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆」うように構成されているのに対し、甲第１号証記載の発明は対応する構成が略平板状のカバー３４にすぎない点。
　相違点ｂ；請求項１に係る発明の防塵カバーは、断面略コ字状のものであって、スライダテーブルに形成された断面略コ字状のカバー挿通孔内に挿通しているのに対し、甲第１号証記載の発明のカバー３４はスライダテーブル３０の上方に設けられているものであって、カバー挿通孔は設けられていない点。
　
　そこで、これらの相違点について検討する。
　相違点ａについては、甲第１号証記載の発明においても、カバー３４は、シリンダチューブの少なくともスリット形成面を上方より覆い、スリットを介した塵埃等の侵入を防止する作用をなすことは当業者において明らかであり、そのカバーの形状に、甲第５号証に記載の、断面が略コ字状のカバー２１を適用することまでは容易にできるものと認められる。
　しかしながら、甲第１号証記載の発明に甲第５号証の断面略コ字状のカバー２１を適用しても、甲第１号証記載の発明のガイドフレーム２２の側面と相対向することとなって、シリンダチューブの側面と相対向するようにはならない。
　その結果、請求項１に係る発明の防塵カバーと、甲第１号証記載の発明に甲第５号証の断面略コ字状のカバー２１を適用したものは、構造上同じものとはいえず、請求項１に係る発明の防塵カバーは、断面略コ字状の防塵カバーの両側縁が前記シリンダチューブのスリット形成面よりも下方に配置されることによって、カバー内空間が小さくなってカバー内面とスリット形成面との距離が小さく、塵埃等が侵入し難くなるものと認められる。
　また、甲第２、３、４、６号証には、断面略コ字状のカバーについては記載がない。（甲第１、４、６号証には、両端部を下方に曲げた部分を有する防塵カバーが記載されているが、両端部の曲げ部分の幅は小さく、両端部がシリンダチューブの側面まで達する本願発明のものとは、技術思想上、相違がある。）
　したがって、相違点ａに係る請求項１記載の発明の構成は、甲第１〜６号証の記載から容易に想到可能なものということはできない。
　相違点ｂについては、甲第２号証の図２に、同じロッドレスシリンダにおいて略凹字状の連結部材１３に平板状のスライドテーブル１６が載置されたものが全体として請求項１に係る発明のスライダテーブルに相当するものとした点が記載されおり、この点を考慮して甲第１号証記載の発明をみると、そのスライダテーブル３０は凹字状の取付面（上端の平面部分）に４個のねじ孔が設けられ、このねじ孔に甲第２号証記載の発明に係る平板（平板状のスライドテーブル１６）を取り付け、被駆動物を載置することは、甲第１号証記載の発明において予定されている使用の形態であると認められる。そして、そのようにすれば、当然にカバーはカバー挿通孔内に挿通していることとなる。
　そして、甲第５号証記載の、断面が略コ字状のカバーを採用するのは容易であるから、それを挿通させるスライダテーブルの挿通孔をカバーの形状に合わせた断面略コ字状とすることは単なる設計事項である。
　したがって、相違点ｂに係る請求項１記載の発明の構成は、甲第１、２、５号証の記載から容易に想到可能なものである。
　以上のとおりであるから、請求項１記載の発明は、上記相違点ａがあることにより、甲第１〜６号証記載の発明に基づいて当業者が容易に発明をすることができたものとはいえない。
　
［請求項２に係る発明について］
　請求項２に係る発明は、請求項１記載の発明を引用し、さらに技術的限定を付したものである。
　したがって、請求項１記載の発明に係る上記の理由と同じ理由により請求項２に係る発明は、甲第１〜６号証記載の発明に基づいて当業者が容易に発明をすることができたものとはいえない。
　
［請求項３に係る発明について］
　請求項３に係る発明に係る訂正は、上記（２）ロで検討したように、明りょうでない記載の釈明を目的とするものであるから、独立特許要件について判断を要さない。（なお、「切欠き長孔」について、甲第１〜６号証には記載がない。）
　
［請求項４に係る発明について］
　請求項４に係る発明に係る訂正は、上記（２）ロで検討したように、明りょうでない記載の釈明を目的とするものであるから、独立特許要件について判断を要さない。（なお、「跳ね返り防止用の突条」について、甲第１〜６号証には記載がない。）
　
［請求項５に係る発明について］
　請求項５に係る発明に係る訂正は、上記（２）ロで検討したように、明りょうでない記載の釈明を目的とするものであるから、独立特許要件について判断を要さない。（なお、「跳ね返り防止用の突条の外側面に複数本の溝を形成した」点について、甲第１〜６号証には記載がない。）
　
［請求項６に係る発明について］
　請求項６に係る発明は、特許明細書の請求項７に係る発明について、その防塵カバーを、「断面略コ字状に形成され、その両側縁がシリンダチューブのスリット形成面よりも下方に配置されるとともにシリンダチューブの側面と相対向するように設けられて少なくともスリット形成面を覆う」もの限定するとともに、そのカバー挿通孔について、「防塵カバーを挿通しうる断面略コ字状」である点を限定したものである。
　そして、この点は、上記［請求項１に係る発明について］で述べた理由と同じ理由により、甲第１〜６号証記載の発明に基づいて当業者が容易に発明をすることができたものとはいえない。
　
［請求項７に係る発明について］
　請求項７に係る発明は、防塵カバーについて、請求項１に係る発明においては、「防塵カバーを・・・設けて、」であったものを、「防塵カバーを・・・シリンダチューブに設置して、」としたものであって、その余に相違がないものである。
　したがって、請求項７に係る発明は、請求項１に係る発明の防塵カバーの設置位置をシリンダチューブに設置するものと更に限定したものであるから、請求項１記載の発明が、上記のとおり、甲第１〜６号証記載の発明に基づいて当業者が容易に発明をすることができたものとはいえない以上、請求項７に係る発明も甲第１〜６号証記載の発明に基づいて当業者が容易に発明をすることができたものとはいうことができない。
　
（Ｃ）独立特許要件についてのむすび
　以上のとおりであるから、本件の訂正後の請求項１，２，６，７に係る発明は、甲第１〜６号証に記載された発明に基づき当業者が容易に発明をすることができたものということはできない。
　したがって、本件の請求項１，２，６，７に係る訂正は、特許法第１２０条の４第３項において準用する同法第１２６条第４項の規定に適合する。
　
ニ、訂正の適否についてのむすび
　以上のとおりであるから、本件に係る訂正請求は、特許法第１２０条の４第２項ただし書き各号に掲げる事項を目的とするものであり、同法同条第３項で準用する同法第１２６条第２〜４項の規定に適合するので、当該訂正を認める。
　
（３）特許異議申立についての判断
イ、本件発明
　本件の請求項１、２、６、７に係る発明（それぞれ、特許明細書の請求項１、３、７、８を訂正したもの。特許明細書の請求項２は削除。）は、上記（２）に記載の理由により訂正が認められたので、上記（２）、イに訂正発明として記載したとおりのものである。
　
ロ、異議申立の理由の概要
　特許異議申立人・豊和工業株式会社は、本件特許に係る出願の日前に頒布された刊行物である甲第１〜６号証を提示し、訂正後の請求項１、２、６、７に係る発明（訂正前の請求項１、２、３、７、８に係る発明）は、甲第１〜６号証記載の発明に基づいて当業者が容易に発明をすることができたものであるから、当該発明に係る特許は取り消されるべき旨主張している。
　
ハ、甲各号証記載の発明
　甲第１〜６号証の記載事項については、上記（２）、ハ、（Ａ）に記載のとおりである。
　
ニ、判断
　訂正後の請求項１、２、６、７に係る発明は、上記（２）のとおり、甲第１〜６号証の存在に拘わらず、特許出願の際独立して特許を受けることができるものである。
　したがって、請求項１、２、６、７に係る発明は、上記（２）、ハ，（Ｂ）に記載した理由と同じ理由により、甲第１〜６号証記載の発明に基づいて当業者が容易に発明をすることができたものではないから、特許異議申立人の主張は採用できない。
　
ホ、むすび
　以上のとおりであるから、訂正後の請求項１、２、６、７に係る特許は、特許異議申立の理由及び証拠によっては取り消すことはできない。。
　さらに、他に本件の請求項１、２、６、７に係る特許を取り消すべき理由を発見しない。
　よって、結論のとおり決定する。
【異議決定日】
平成１２年１１月１日（２０００．１１．１）
【訂正の要旨】
（訂正の要旨）
▲１▼、特許請求の範囲を、特許請求の範囲の減縮及び明りょうでない記載の釈明を目的として、次のとおりに訂正する。
　【請求項１】シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　
断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆い、
断面略コ字状の
その防塵カバーを
　【請求項
２
１
　【請求項
３
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
　【請求項
４
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
　【請求項
５
４
　【請求項
６
断面略コ字状に形成され、その両側縁が前記シリンダチューブのスリット形成面よりも下方に配置されるとともにシリンダチューブの側面と相対向するように設けられて
前記
断面略コ字状の
　【請求項
７
　
断面略コ字状の防塵カバーを、その両側縁が前記シリンダチューブのスリット形成面よりも下方に配置されるとともにシリンダチューブの側面と相対向するように同シリンダチューブに設置して、その防塵カバーによって少なくとも前記スリット形成面を覆い、
断面略コ字状の
▲２▼、【発明の詳細な説明】の【０００９】〜【００１４】欄を次のとおりに訂正する。
　【０００９】
　　【課題を解決するための手段】
　上記の課題を解決するために、請求項１に記載の発明では、シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆い、
断面略コ字状の
その防塵カバーを
　【００１０】
　請求項２に記載の発明では、請求項１において、前記防塵カバーと前記カバー挿通孔との間には空隙が確保されており、前記スライダテーブルは前記防塵カバーに対して無接触状態で往復動することとした。
　【００１１】
　請求項３に記載の発明では、シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、前記防塵カバーの端縁部には、自身の長手方向に沿って延びるカバー取付用の切欠き長孔が形成されているとした。
　【００１２】
　請求項４に記載の発明では、シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、前記シリンダチューブの前記スリット形成面において同スリットの両側に跳ね返り防止用の突条を設け、その突条の先端部よりも下方に前記防塵カバーの両側縁を配置した。
　【００１３】
　請求項５に記載の発明では、請求項４において、前記跳ね返り防止用の突条の外側面に複数本の溝を形成した。
　請求項６に記載の発明では、断面略コ字状に形成され、その両側縁が前記シリンダチューブのスリット形成面よりも下方に配置されるとともにシリンダチューブの側面と相対向するように設けられて少なくとも前記スリット形成面を覆う防塵カバーを挿通しうる断面路コ字状のカバー挿通孔が、自身の進行方向に沿って延びるように形成されているロッドレスシリンダのスライダテーブルをその要旨とする。
　【００１４】
　請求項７に記載の発明では、シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、断面略コ字状の防塵カバーを、その両側縁が前記シリンダチューブのスリット形成面よりも下方に配置されるとともにシリンダチューブの側面と相対向するように同シリンダチューブに設置して、その防塵カバーによって少なくとも前記スリット形成面を覆い、前記スライダテーブルに形成された断面略コ字状のカバー挿通孔内にその防塵カバーを挿通させ、同防塵カバーに沿って前記スライダテーブルを往復動させるように構成したことを特徴とするロッドレスシリンダをその要旨とする。
　以下、本発明の「作用」を説明する。
　請求項１〜５及び請求項７に記載の発明によると、ピストンによって区画されるシリンダチューブ内の圧力空間に流体を給排すると、その流体の圧力の作用によってピストン及びスライダテーブルがチューブ長手方向に沿って一体的に移動する。
▲３▼、【発明の詳細な説明】の【００１８】〜【００２２】欄を次のとおりに訂正する。
　【００１８】
　特に、請求項１及び請求項７に記載の発明によると、防塵カバー及びカバー挿通孔の断面がともに略コ字状であるため、単純な形状である場合に比べて、より確実にスリット形成面の防塵を図ることができる。また、防塵カバーをこのような断面形状にすると、剛性を強くすることができる。
　【００１９】
　請求項２に記載の発明によると、スライダテーブルは防塵カバーに対して無接触状態を維持するため、往復動の際にスライダテーブルが防塵カバーから抵抗を受けることがない。そのため、スライダテーブルの動作性の向上が図られる。
　【００２０】
　請求項３に記載の発明によると、防塵カバーの端縁部にある切欠き長孔を用いれば、例えば防塵カバー取り付け用のネジ等を完全にネジ穴から外さなくても、防塵カバーの取り付け・取り外しを行うことが可能である。また、この構成であれば、ネジの締めつけ時に防塵カバーのテンションを調整することもできる。以上の結果、シリンダの組み付け作業が容易になる。
　【００２１】
　請求項４に記載の発明によると、スリットの両側に設けられた跳ね返り防止用の突条があると、それが障害物となって、下方から塵埃、切粉、切削油等が侵入しにくくなる。また、突条の先端部よりも下方に防塵カバーの両側縁が配置されていることも、塵埃等の侵入防止を図るうえでプラスに作用する。
　【００２２】
　請求項５に記載の発明によると、跳ね返り防止用の突条の外側面に複数本の溝が形成されていると、塵埃等の侵入がよりいっそう確実に防止される。
　請求項６に記載の発明によると、カバー挿通孔が形成されたものをスライダテーブルとしていることから、そのスライダテーブルを貫通するように防塵カバーを設けることができる。また、この構成であると、防塵カバーを挿通したときでも、スライダテーブルの上面は外部に露出した状態を維持する。ゆえに、当該面に対してワーク等を支持させることができ、スライダテーブルの基本機能が損なわれることがない。
▲４▼、【発明の詳細な説明】の【００５０】〜【００５６】欄を次のとおりに訂正する。
　【００５０】
　なお、本発明は例えば次のように変更することが可能である。
　（１）実施形態２において、防塵カバー３１の断面形状は同実施形態２のようなコ字状に限定されるわけではない。例えば、口字状、Ｌ字状、Ｃ字状などの形状であっても、少なくともスリット形成面であるシリンダチューブ１の上面を覆いうるものであればどのようなものでもよい。勿論、スライダテーブル４１のカバー挿通孔３０の形状についても、防塵カバー３１の変更に伴って変更することができる。もっとも、防塵カバー３１及びカバー挿通孔３０の断面形状は、必ずしも相似の（同種の）形状でなくても足りる。
　【００５１】
　【００５２】
　（２）また、スライダテーブル２１，４１において、カバー挿通孔３０以外の箇所にも空洞部分を設け、それによる軽量化を図ってもよい。
　（３）防塵カバー３１における締結手段挿通部である切欠き長孔３２に代えて、切り欠かれていない長孔を設けることとしてもよい。なお、これらの長孔は、防塵カバー３１の両端縁部に設けられるほか、一方の端縁部に設けられていてもよい。
　【００５３】
　（４）実施形態２における突条４２と同じ働きをする部材を、別体としてシリンダチューブ１の上面に取り付けてもよい。
　（５）防塵カバー３１はアルミニウム等のような防錆金属製品であるばかりでなく、例えばプラスティック等のような樹脂成形品であってもよいかかるものも錆に強いからである。
　【００５４】
　ここで、特許請求の範囲に記載された技術的思想のほかに、前述した実施形態によって把握される技術的思想を以下に列挙する。
　（１）請求項６において、前記カバー挿通孔の断面は、前記防塵カバーの断面形状と相似ないしは類似の形状であるロッドレスシリンダのスライダテーブル。
　【００５５】
　（２）請求項６において、前記カバー挿通孔の断面は略コ字状であるロッドレスシリンダのスライダテーブル。
　（３）請求項６において、前記スライダテーブルはテーブル本体と蓋部とからなり、両部材間に前記カバー挿通孔が形成されることを特徴とするロッドレスシリンダのスライダテーブル。この構成であると、組み付けの容易化等を図ることができる。
　【００５６】
　（４）請求項６において、前記スライダテーブルは１つの部材からなる押出成形品であるロッドレスシリンダのスライダテーブル。この構成であると、部品点数の低減等を図ることができる。
▲４▼、【発明の詳細な説明】の【００６１】〜【００６４】欄を次のとおりに訂正する。
　【００６１】
　　【発明の効果】
　以上詳述したように、請求項１〜５及び請求項７に記載の発明によれば、防塵性、耐久性及び動作性に優れたロッドレスシリンダを提供することができる。
　【００６２】
　特に、請求項１及び請求項７に記載の発明によれば、単純な形状に比べて、より確実にスリット形成面の防塵を図ることができ、かつ剛性を強くすることができる。
　請求項２に記載の発明によれば、スライダテーブルが防塵カバーから抵抗を受けないため、動作性の向上によって好都合となる。
　【００６３】
　請求項３に記載の発明によると、切欠き長孔を設けた結果、シリンダの組み付け作業を容易にすることができる。
　請求項４に記載の発明によれば、跳ね返り防止用の突条を設けたことから、よりいっそう防塵性の向上を図ることができる。
　【００６４】
　請求項５に記載の発明によると、跳ね返り防止用の突条の外側面に複数本の溝を設けたことにより、さらに優れた防塵性を得ることができる。
　請求項６に記載の発明によると、防塵カバーを挿通しうるカバー挿通孔を形成していることから、このスライダテーブルを使用すれば上記の優れたロッドレスシリンダを実現することができる。
（５４）【発明の名称】
ロッドレスシリンダ及びそのスライダテーブル
（５７）【特許請求の範囲】
　　【請求項１】　シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダ号において、
　
断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆い、
断面略コ字状の
その防塵カバーを
　　【請求項
２
１
　　【請求項
３
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
　　【請求項
４
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
　前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
るロ
　　【請求項
５
４
　　【請求項
６
断面略コ字状に形成され、その両側縁が前記シリンダチューブのスリット形成面よりも下方に配置されるとともにシリンダチューブの側面と相対向するように設けられて
前記
断面略コ字状
　　【請求項
７
　
断面略コ字状の防塵カバーを、その両側縁が前記シリンダチューブのスリット形成面よりも下方に配置されるとともにシリンダチューブの側面と相対向するように同シリンダチューブに設置して、その防塵カバーによって少なくとも前記スリット形成面を覆い、
断面略コ字状
【発明の詳細な説明】
　【０００１】
　　【発明の属する技術分野】
　本発明は、ロッドレスシリンダ及びそれに用いられるスライダテーブルに関するものである。
　【０００２】
　　【従来の技術】
　従来より、ピストンにロッドが設けられていないタイプのシリンダ、即ちロッドレスシリンダが多数提案されている。また、この種のシリンダは、その構造上からみても分かるように、設置スペースをとらずにロングストローク化を図るうえで好都合という特性を持っている。
　【０００３】
　一般的に、ロッドレスシリンダは以下のような構成を備えている。シリンダチューブを構成するシリンダチューブ内には、ピストンがチューブ長手方向に沿って移動可能に収容されている。シリンダチューブの上面中央部には、スリットが形成されている。このスリットは、チューブ長手方向に沿って延び、かつシリンダチューブの内外を連通している。シリンダチューブの上面外側には、スライダテーブルが配設されている。このスライダテーブルは、スリットを介してピストンに連結されており、ピストンと一体的に移動する。
　【０００４】
　前記ロッドレスシリンダを、例えば塵埃、切粉、切削油等の多い汚染環境下で使用した場合、スライダテーブルの摺動面上にあるスリットの隙間には塵埃等の異物が侵入しやすくなる。すると、前記異物によってスライダテーブルの摺動抵抗が増加するとともに、シール部材に異物がかみ込むことで摩耗を促進し、エア漏れ量が増大する。そして、このような結果として、シリンダの動作性が悪化してしまう。従って、この問題を解消するためには、シリンダに対して何らかの防塵対策を講じておく必要がある。
　【０００５】
　上記の対策を採ったシリンダとしては、筒状をした伸縮自在の蛇腹を防塵カバーとして用い、その防塵カバーでシリンダチューブの周面を完全に覆ったものがある（例えば特開平５−１７２１１９号公報）。また、防塵カバーを使用せずに防塵を図ったシリンダの例としては、スライダ摺動面上にある塵埃等を掻き取るゴム製のスクレーパを使用したものがある（例えば特開平６−４２５０８号公報）。
　【０００６】
　　【発明が解決しようとする課題】
　ところが、上記従来技術には以下のような問題がある。
　防塵カバーを利用したシリンダでは、伸縮運動により蛇腹に応力が繰り返し作用するとともに、蛇腹の谷部に塵埃等が堆積するため、早期のうちに蛇腹が破れてしまう。そのため、このシリンダは耐久性に劣るものとなっていた。また、このシリンダのような構成であると、蛇腹が抵抗となるためスライダテーブルの動作性が悪くなる等の問題もあった。
　【０００７】
　スクレーパを利用したシリンダでは、塵埃等の掻き取りが不充分になることが多く、スライダテーブルの摺動面であるシリンダチューブの上面とスクレーパとが摺接する際の界面に、異物がそのまま保持されやすい。そして、この状態でスライダテーブルを継続して摺動させると、摩耗によってスクレーパが早期のうちに傷んでしまう。このため、同シリンダについても耐久性に劣るものとなっていた。
　【０００８】
　本発明は上記の課題を解決するためなされたものであり、その目的は、防塵性、耐久性及び動作性に優れたロッドレスシリンダを提供することにある。
　また、本発明の別の目的は、上記の優れたロッドレスシリンダを実現するうえで好適な構成を有するスライダテーブルを提供することにある。
　【０００９】
　　【課題を解決するための手段】
　上記の課題を解決するために、請求項１に記載の発明では、シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、
断面略コ字状の防塵カバーを、その両側縁が前記シリンダチューブのスリット形成面よりも下方に配置されるとともにシリンダチューブの側面と相対向するように設けて、その防塵カバーによって少なくとも前記スリット形成面を覆い、
断面略コ字状の
その防塵カバーを
　【００１０】
　
請求項２
１
　【００１１】
　請求項
３
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
　【００１２】
　請求項
４
シリンダチューブと、そのシリンダチューブ内に移動可能に収容されたピストンと、チューブ長手方向に沿って延びかつ同チューブの内外を連通するスリットと、前記シリンダチューブ外に配設されるとともに前記スリットを介して前記ピストンに連結されたスライダテーブルとを備えたロッドレスシリンダにおいて、前記シリンダチューブの少なくともスリット形成面を覆う防塵カバーを、前記スライダテーブルに形成されたカバー挿通孔内に挿通させ、同防塵カバーに沿って前記スライダテーブルを往復動させるように構成し、
　【００１３】
　請求項
５
４
　請求項
６
断面略コ字状に形成され、その両側縁が前記シリンダチューブのスリット形成面よりも下方に配置されるとともにシリンダチューブの側面と相対向するように設けられて少なくとも前記スリット形成面を覆う防塵カバーを
断面略コ字状
　【００１４】
　請求項
７
断面略コ字状の防塵カバーを、その両側縁が前記シリンダチューブのスリット形成面よりも下方に配置されるとともにシリンダチューブの側面と相対向するように同シリンダチューブに設置して、その防塵カバーによって少なくとも前記スリット形成面を覆い、
断面略コ字状の
　以下、本発明の「作用」を説明する。
　請求項１〜
５
７
　【００１５】
　この構成によると、シリンダチューブの少なくともスリット形成面が防塵カバーによって覆われているので、スリットが外部に晒されることはない。ゆえに、スリットを介してシリンダ内部に塵埃等が侵入することが防止される。このため、塵埃、切粉、切削油等の多い汚染環境下での使用に耐えうるシリンダ、即ち防塵性に優れたシリンダを得ることができる。
　【００１６】
　また、この構成であると、異物によるスライダテーブルの摺動抵抗の増加という事態も回避される。しかも、カバー挿通孔を設けたことにより中空部分ができるため、たとえ大きなスライダテーブルを設けた場合であっても、その重量増が防止される。以上の結果、シリンダの動作性の低下を防止することができる。
　【００１７】
　さらに、この構成であると、シリンダチューブ側と摺接するような部材（例えばスクレーパ）が必ずしも必要でなくなる。このように非接触であっても防塵を達成できることは、シリンダの動作性や耐久性の向上に貢献する。
　【００１８】
　
特に、
１及び請求項７
　【００１９】
　請求項
２
　【００２０】
　請求項
３
　【００２１】
　請求項
４
　【００２２】
　請求項
５
　請求項
６
　【００２３】
　　【発明の実施の形態】
〔第１の実施形態〕
　以下、本発明を具体化した一実施形態のロッドレスシリンダを図１〜図３に基づき詳細に説明する。
　【００２４】
　図１〜図３に示されるように、本実施形態のロッドレスシリンダＳｌを構成するシリンダチューブ１は、アルミニウム等の押出成形等によって形成される断面略矩形状かつ筒状の長尺部材である。このシリンダチューブ１の上面の中央部には、スリット２が形成されている。このスリット２は、チューブ長手方向に沿って延び、かつシリンダチューブ１の内外を連通している。シリンダチューブ１の両端開口には、それぞれエンドブラケット３，４が固定されている。シリンダチューブ１内には、これらのエンドブラケット３，４に対応して筒状のカラー５，６が固定されている。図１の右方に位置するエンドブラケット４には、一対の給排ポート７が設けられている。これらの給排ポート７のうち上方のものは、右方のカラー６を介して右側圧力室９に連通されている。また、下方のものは、シリンダチューブ１の下部においてチューブ長手方向に沿って形成された連通孔１０に連通されている。この連通孔１０は、さらに左方のカラー５を介して左側圧力室１１に連通されている。
　【００２５】
　スリット２の外側には、第１のシールベルト１２が張設されている。このシールベルト１２の両端は、各エンドブラケット３，４に固定されている。そして、第１のシールベルト１２は、スリット２を介してシリンダチューブ１の内部に塵埃等が侵入することを、同スリット２のすぐ近傍において防止する役割を果たしている。一方、スリット２の内側には、第２のシールベルト１３が張設されている。そして、このシールベルト１３は、給排ポート７，８から各圧力室９，１１に供給された圧力流体（本実施形態では加圧エア）がスリット２を介して外部に漏洩することを防止する役割を果たしている。
　【００２６】
　シリンダチューブ１の内部には、ピストン１４及びヨーク部１５を収容するための空間が存在している。ピストン１４は左右一対に設けられ、それらの間にはヨーク部１５が介在されている。なお、これらのピストン１４は、それぞれ前記カラー５，６内に嵌合しうる突出部分を有している。シリンダチューブ１内の空間は、ピストン１４及びヨーク部１５の存在によって、上記のような右側圧力室９及び左側圧力室１１の２つの領域に区画されている。従って、給排ポート７，８を介して圧力室９，１１内に加圧エアを給排すると、両ピストン１４及びヨーク部１５が、同シリンダチューブ１内をチューブ長手方向に沿って一体的に摺動する。
　【００２７】
　図３（ｂ）に示されるように、ヨーク部１５は、胴部１８、頭部１９及び首部２０によって成り立っている。胴部１８は、シリンダチューブ１の内側に配設されている。頭部１９は前記スリット２を介してシリンダチューブ１の外側に露出しており、その上面にはワークを取り付ける台としてのスライダテーブル２１が連結部材（本来のスライダテーブル）２２を介して連結されている。首部２０は、そのような頭部１９と胴部１８とを連結している。なお、スライダテーブル２１も、前記ピストン１４等の移動に伴ってチューブ長手方向に沿って一体的に移動する。シリンダチューブ１の上面における両ストロークエンドには、スライダテーブル２１の衝撃を緩衝するためのショックアブソーバ２３がそれぞれ設けられている。また、ショックアブソーバ２３が支持されている支持部材には、前記ショックアブソーバ２３の他にストッパボルト２４が取り付けられている。ストッパボルト２４は、ストロークの終端位置を決定する役割を果たす。
　【００２８】
　図１（ｂ）に示されるように、スライダ２１の下面にはベルト押さえ２５が配設されている。同ベルト押さえ２５は、シャフトを介して図示しない軸受に固定されているとともに、上方向からバネによって付勢されている。従って、このベルト押さえ２５は、シャフトを支点とするバネの付勢力により第１のシールベルト１２をスリット２に嵌め込む機能を有している。
　【００２９】
　図３に示されるように、本実施形態のスライダテーブル２１は、テーブル本体２６と、そのテーブル本体２６の上部に固定される蓋部２７とによって構成されている。テーブル本体２６は、連結部材２２の上面にボルト２８によって固定されている。このテーブル本体２６の上面には、所定形状の溝が形成されている。従って、テーブル本体２６の上面に蓋部２７をボルト２９で取り付けると、ちょうど断面コ字状のカバー挿通孔３０が形成される。なお、このカバー挿通孔３０は、スライダテーブル２１の進行方向側の側端面を貫通したものとなっている。なお、蓋部２７の上面は、ワークの取り付けの便宜を図るためにフラットになっている。
　【００３０】
　次に、本実施形態において防塵の役目を果たしている防塵カバー３１の構成について説明する。なお、分かりやすくするために、図面上では防塵カバー３１にあえてハッチングを付している。
　【００３１】
　図１〜図３に示されるように、防塵カバー３１は、アルミニウム等の軽金属やその合金、あるいはステンレス等の鉄合金などを材料とする断面略コ字状の長尺状板材である。単なる鉄ではなくこのような金属材料を選択した理由は、かかる材料は錆にくいからである。なお、錆が生じると新たに異物が発生し、防塵性の低下につながるからである。図３（ｄ）に示されるように、この防塵カバー３１の端縁部には、自身の長手方向に沿って延びるカバー取付用の切欠き長孔３２が２つずつ形成されている。
　【００３２】
　上記の防塵カバー３１は以下のようにして取り付けられる。前記シリンダチューブ１の両端部の上面には、一対のカバー支持板３３がボルト３４によって固定されている。これらのカバー支持板３３の上面における２箇所には、ネジ穴が形成されている。そして、これらのネジ穴には、防塵カバー３１の両端縁の部分がネジ３６で固定されている。その結果、前記略コ字状の防塵カバー３１によって、スリット形成面であるシリンダチューブ１の上面が全体的に覆われるようになっている。
　【００３３】
　このとき、前記防塵カバー３１は、スライダテーブル２１に形成されたカバー挿通孔３０内に挿通される。ただし、図３（ｂ），図３（ｃ）に示されるように、防塵カバー３１とカバー挿通孔３０との間には、ある程度の大きさの空隙３７が確保されている。従って、スライダテーブル２１は、防塵カバー３１に対して無接触状態で往復動することができる。
　【００３４】
　以下、本実施形態における特徴的な作用効果を列挙する。
　（イ）この構成では、シリンダチューブ１におけるスリット形成面である上面が防塵カバー３１によって覆われている。従って、スリット２が外部に晒されることはなく、当該部分を介してシリンダＳ１内部に塵埃等が侵入することが防止される。このため、塵埃、切粉、切削油等の多い汚染環境下での使用に耐えうるシリンダＳｌ、即ち防塵性に優れたシリンダＳｌを得ることができる。
　【００３５】
　（ロ）また、この構成では、異物によるスライダテーブル２１の摺動抵抗の増加という事態も回避される。しかも、カバー挿通孔３０を設けたことにより中空部分ができるため、たとえ大きなスライダテーブル２１を設けた場合であっても、その重量増が防止される。以上の結果、シリンダＳｌの動作性の低下を防止することができる。
　【００３６】
　（ハ）さらに、この構成であると、シリンダチューブ１側と摺接するような部材（例えばスクレーパ）が必ずしも必要でなくなる。このように非接触であっても防塵を達成できることは、シリンダＳｌの動作性や耐久性の向上に確実に貢献することとなる。
　【００３７】
　（ニ）このシリンダＳｌでは、防塵カバー３１及びカバー挿通孔３０の断面がともに略コ字状になっている。従って、それらが仮に単純な形状であった場合に比べて、より確実にスリット形成面の防塵を図ることができる。また、防塵カバー３１をこのような断面形状にすると、防塵カバー３１の剛性を強くすることができる。
　【００３８】
　（ホ）このシリンダＳｌでは、スライダテーブル２１は防塵カバー３１に対して無接触状態を維持するため、往復動の際にスライダテーブル２１が防塵カバー３１から摺動による抵抗を受けることがない。そのため、スライダテーブル２１の動作性の向上が図られる。
　【００３９】
　（へ）このシリンダＳ１では、防塵カバー３１の端縁部にある切欠き長孔３２を用いれば、防塵カバー取り付け用のネジ３６等を完全にネジ穴から外さなくても、防塵カバー３１の取り付け・取り外しを行うことが可能である。また、この構成であれば、ネジ３６の締めつけ時に防塵カバー３１のテンションを調整することもできる。以上の結果、シリンダＳｌの組み付け作業を容易に行うことが可能となる。
　【００４０】
　（ト）このシリンダＳ１の構成であると、シリンダチューブ１の上面のみが防塵カバー３１によって覆われており、それ以外の面は外部に露出したままである。つまり、シリンダチューブ１の周面が全体的に覆われてしまうこともないので、支持体へのシリンダＳ１の設置が困難になるということもない。このことは、シリンダＳ１がロングストローク化したときに有利となる。即ち、長いシリンダＳ１であっても両端のみを支持するのではなく下面全体を支持することが可能となることで、シリンダチューブ１の湾曲を防止することができるからである。
　【００４１】
　（チ）このシリンダＳ１では、テーブル本体２６及び蓋部２７という２つの部材によって１つのシリンダテーブル２１を構成している。従って、防塵カバー３１を取り付けた後に、蓋部２７をテーブル本体２６に取り付けることも可能である。以上のことから、組み付けを容易に行うことができる。また、取り付けられるべきワークの種類や大きさ等に応じて、蓋部２７を取り替えることができるため極めて便利である。
〔第２の実施形態〕
　以下、一本発明を具体化した別の実施形態を図４，図５に基づき詳細に説明する。ここでは、実施形態１との相違点を中心に説明することとし、共通点については同じ部材番号を付すのみとする。
　【００４２】
　図４，図５に示されるように、このロッドレスシリンダＳ２のシリンダチューブ１では、エンドブラケット３，４の内端面側の上部にそれぞれカバー支持部が突設されている。そして、これらのカバー支持部の上面には、長尺状かつ断面略コ字状をした防塵カバー３１がネジ３６によって固定されている。なお、本実施形態の防塵カバー３１には、実施形態１のときのような切欠き長孔３２に代えて、単なる円形状のネジ穴（図示略）が形成されている。
　【００４３】
　このような防塵カバー３１は、スライダテーブル４１の断面略コ字状のカバー挿通孔３０内に挿通される。ここで、本実施形態のスライダテーブル４１は、２つの部材からなる実施形態１とは異なり、１つの部材からなるものである。また、前記スライダテーブル４１は、連結部材２２を介在することなしにじかに頭部１９に対して連結されている。さらに、前記スライダテーブル４１の両側面は、シリンダチューブ１の側面からは突出されていない。
　【００４４】
　一方、図５（ａ），図５（ｂ）に示されるように、シリンダチューブ１の上面においてスリット２の両側には、跳ね返り防止用の突条４２が設けられている。前記跳ね返り防止用の突条４２の上面はシリンダチューブ１の上面に対して水平になっており、かつ内側面は上面に対して垂直になっている。跳ね返り防止用の突条４２の外側面４２ａは、斜面となっている。この外側面４２ａには、図５（ｄ）に示されるように、複数本の溝４３がチューブ長手方向に沿って形成されている。そして、防塵カバー３１の両側縁は、突条４２の先端部よりも下方となるように、即ち両者４１，４２がオーバーラップするように配置されている。
　【００４５】
　以下、本実施形態における特徴的な作用効果を列挙する。
　（イ）この構成であっても、基本構成は実施形態１のそれと等しいことから、実施形態１において述べたイ、ロ、ハ、ニ、ホ、トの作用効果を奏することはいうまでもない。
　【００４６】
　（ロ）この構成では、スリット２の両側に設けられた跳ね返り防止用の突条４２を設けたことを特徴とする。そして、このような突条４２は、塵埃、切粉、切削油等の侵入経路上において障害物となるため、下方からの塵挨等の侵入を阻止することができる。また、突条４２の先端部よりも下方に防塵カバー３１の両側縁が配置されていることも、塵埃等の侵入防止を図るうえでプラスに作用する。即ち、このシリンダＳ２には高い防塵性が確保されている。
　【００４７】
　（ハ）この構成であると、跳ね返り防止用の突条４２の外側面に形成された複数本の溝４３があることによって、塵埃等の侵入がよりいっそう確実に防止される。それは、前記溝４３を形成した外側面には塵埃等が付着しやすい等の理由による。
　【００４８】
　（ニ）本実施形態のスライダテーブル４１は、例えば押出成形等によって製造されることができる。また、単一の部材からなるものであるため、部品点数の低減等を図るうえで有利である。
　【００４９】
　（ホ）また、前記スライダテーブル４１はシリンダチューブ１の側方に延出しておらず、シリンダＳ２の幅を増加させていない。ゆえに、本実施形態の構成は、実施形態１の構成に比べてより小型化に向いているといえる。
　【００５０】
　なお、本発明は例えば次のように変更することが可能である。
　（１）
実施形態２において、
同実施形態２
４１
　【００５１】
　【００５２】
　（
２
　（
３
　【００５３】
　（
４
　（
５
　【００５４】
　ここで、特許請求の範囲に記載された技術的思想のほかに、前述した実施形態によって把握される技術的思想を以下に列挙する。
　（１）請求項
６
　【００５５】
　（２）請求項
６
　（３）請求項
６
　【００５６】
　（４）請求項
６
　【００５７】
　（５）シリンダチューブのチューブ長手方向に沿って延びるスリットを介した塵埃等の侵入を防止するための防塵カバーであって、前記シリンダチューブとほぼ同じ長さを有する断面コ字状の防錆金属製板材の端縁部に、前記シリンダチューブの上面側における支持部分への締結時に締結手段を挿通可能な穴構造を形成してなることを特徴とするロッドレスシリンダ用の防塵カバー。この構成であると、シリンダに使用すれば好適な防塵性等を得ることができる。
　【００５８】
　（６）技術的思想（５）において、前記締結手段を挿通可能な穴構造は、切欠き長孔であるロッドレスシリンダ用の防塵カバー。
　（７）スリット形成面において同スリットの両側に跳ね返り防止用の突条が突設されているロッドレスシリンダ用のシリンダチューブ。この構成であると、シリンダに使用すれば好適な防塵性等を得ることができる。
　【００５９】
　（８）技術的思想（７）において、前記跳ね返り防止用の突条の外側面には複数本の溝が形成されているロッドレスシリンダ用のシリンダチューブ。
　（９）技術的思想（７），（８）において、前記跳ね返り防止用の突条は、前記シリンダチューブの押出成形時に一体形成されたものであるロッドレスシリンダ用のシリンダチューブ。
　【００６０】
　なお、本明細書中において使用した技術用語を次のように定義する。
　「締結手段：ボルト、ネジ、釘等といったものを指す。」
　【００６１】
　　【発明の効果】
　以上詳述したように、請求項１〜
５
７
　【００６２】
　
特に、請求項１及び請求項７
　請求項
２
　【００６３】
　請求項
３
　請求項
４
　【００６４】
　請求項
５
　請求項
６
【図面の簡単な説明】
　　【図１】（ａ）は実施形態１のロッドレスシリンダの平面図、（ｂ）はその正断面図。
　　【図２】同ロッドレスシリンダの正面図。
　　【図３】（ａ）は図１（ｂ）のＢ−Ｂ線断面図、（ｂ）は図２のＡ−Ａ線断面図、（ｃ）は同ロッドレスシリンダの左側面図、（ｄ）は防塵カバーを示す部分平面図。
　　【図４】（ａ）は実施形態２のロッドレスシリンダの平面図、（ｂ）はその正面図。
　　【図５】（ａ）は図４（ｂ）のＹ−Ｙ線断面図、（ｂ）は図４（ｂ）のＸ−Ｘ線断面図、（ｃ）は同ロッドレスシリンダの左側面図、（ｄ）はシリンダチューブに形成された跳ね返り防止用の突条を示す拡大断面図。
　　【符号の説明】
　１…シリンダチューブ、２…スリット、１４…ピストン、２１…スライダテーブル、３０…カバー挿通孔、３１，４１…防塵カバー、３２…切欠き長孔、３７…空隙、４２…跳ね返り防止用の突条、４３…溝Ｓ１，Ｓ２…ロッドレスシリンダ。